(57)【要約】      （修正有）【課題】安定性に優れ転倒のおそれがなく、見やすい置き看板を提供する。【解決手段】重石１をコンクリートにて両側に下広斜面１ａを有す部厚な台形にして、重石の斜面と同角の山形に折り曲げてなる向き合い形の看板２の下部を、重石の下広斜面にビス３で跨ぎ止めて重石を挟んでフラットに傾斜した２枚の看板面を形成し、且つ重石の台形による底面の拡がりにて風圧等による置き看板の転倒を可及的に防止する。【選択図】図１
0003202034.tif 000002
【実用新案登録請求の範囲】
【請求項１】
重石をコンクリートにて両側に下広斜面を有す部厚な台形にして、この下広斜面と同じ傾斜角の山形形状とする向き合い形の看板の下部を重石の下広斜面に跨ぎ止めて重石を挟んでフラットに傾斜した２面の看板面を形成し、且つ重石の台形による底面の拡がりにて風圧等による看板の転倒を可及的に防止するようにしたことを特徴とする置き看板。
【請求項２】
看板の頂面両角に折り曲げによる丸みを持たせる請求項１に記載の置き看板。
【請求項３】
重石の開放側の両側下に手掛かり溝を設ける請求項１または２に記載の置き看板。
【請求項４】
看板はプラスチック樹脂板とし、その内面に金属板，アルミ複合板を添着して補強する請求項１乃至３のいずれかに記載の置き看板。
【請求項５】
重石に看板の頂面を貫通する筒形支柱を植設した請求項１乃至４のいずれかに記載の置き看板。
【考案の詳細な説明】
【技術分野】
【０００１】
この考案は重石を土台とする置き看板に関するものである。
【背景技術】
【０００２】
従来は、図４に示すように四角形，長方形をした重石Ｇを土台にして、その両側の垂直面に２枚の看板Ｋ，Ｋの下部を当て止め、２枚の看板Ｋ，Ｋの上部をそれぞれ内側に円曲曲げして上端間を突合わせ、別素材Ｋ１を内当てして接続して、通称Ａ型と称される置き看板Тを形成して店頭等に設置してきている。
【先行技術文献】
【特許文献】
【０００３】
【特許文献１】なし
【考案の概要】
【考案が解決しようとする課題】
【０００４】
しかしながら、従来の置き看板は看板Ｋ，Ｋの上部を円曲曲げして突合わす構造によって表示面の上下間にゆがみが生じて視認しづらいという課題があった。特に昼の日差し，夜の照明等の光の反射によって全く読み取れないことが生ずるという課題があった。
また看板Ｋ，Ｋの上部の突合わせ接続端は剥がれて浮き出て触手等による怪我が生ずる等の課題があった。
さらに、重石Ｇは四角形，長方形によって土台としての安定性が今ひとつ充分でなく、強風等により転倒したりする課題があった。
【課題を解決するための手段】
【０００５】
本考案は、土台となる重石を両側に下広斜面を有す部厚な台形にして、この重石の下広斜面と同角に傾斜した向き合い山形の看板を形成し、この看板の下部を重石の下広斜面に跨ぎ止め、且つ重石の底面の台形による拡がりにて風圧等による看板の転倒を防止するようにして重石を土台とする置き看板を構成して、上記の課題を解決するようにしたのである。
【考案の効果】
【０００６】
本考案は、重石を横長方向の両面に下広斜面を有す部厚な台形にしたので、看板を重石の斜面と同角の傾斜面に形成することができて、看板面を昼夜を問わず見やすいものにするという効果を生ずる。
【０００７】
重石は台形による底面の拡がりにて安定性が増して強風等による置き看板の転倒するおそれを解消するという効果を生ずる。
【図面の簡単な説明】
【０００８】
【図１】本考案の１実施例を示す斜視図
【図２】第２実施例を示す部分拡大側面図
【図３】第３実施例を示す側面図
【図４】従来例で、（ａ）は側面図、（ｂ）は斜視図
【考案を実施するための形態】
【０００９】
本考案は、土台となる重石を両側に下広斜面を有す部厚な台形にして、立て置き用の看板を重石の斜面と同角に傾斜した向き合い山形にて形成して、その下部を重石の斜面に跨ぎ止めて重石を挟んでフラットに傾斜した視認しやすい置き看板とする。重石は底面の拡がりにて安定性を増して強風等による置き看板の転倒するおそれをさらに防止することとなる。
【実施例１】
【００１０】
図１は本考案の第１実施例を示すもので、コンクリートにて厚さ７０〜８０ｍｍ、横長４００ｍｍ、幅２３０ｍｍ程度の横長形をした台形の重石１を形成する。重石１の下広斜面１ａ，１ａは横長方向の両面に設けられる。
【００１１】
看板２は一枚のプラスチック樹脂板にて横幅を重石１と同じ４００ｍｍ、高さを４２０ｍｍにして重石１の下広斜面１ａ，１ａと同角に傾斜したフラットな山形形状に折り曲げて形成して、しかして看板２は向き合う２枚にてなり、下部を重石１の下広斜面１ａ，１ａに跨ぎ当てビス３止めして固定する。なお看板２の上端の２面間には看板２の傾斜角によって細幅の頂面２ａが形成される。
【００１２】
このようにして形成する置き看板４は重石１を地面に接せしめて店頭等に立て置きして使用されることとなる。
【００１３】
重石１を跨いだ２枚の看板２，２面は重石１の下広斜面１ａ，１ａと同角に傾斜したフラット面となるために光の反射による見づらさがなくなって、鮮明に読み取られるものとなる。
【００１４】
また、看板２は一枚のプラスチック樹脂版の折り曲げにてなるので、従来の突合わせによって生じていた端部のまくれ上がりがなくなり、また頂面２ａを挟んだ両角には丸みができて触手や引っ掛かりによる怪我や転倒が防止されることとなる。
本考案は頂面２ａを有することによって看板２は強固なものに補強されることとなる。
【００１５】
さらに重石１は短尺側の両側に手掛かり溝１ｂ，１ｂを設けて、移動させるときに手指を掛けて持ち上げることで容易に持ち運び移動させることができることとなる。
なお、重石１上の看板２，２間は風通しの良好な空間となっている。
【実施例２】
【００１６】
図２は第２実施例であって、看板２，２の内面にアルミ複合板５，５を当て、頂面２ａの内面に金属板６を当ててそれぞれビス３止めして補強した例で、その他の構成と作用は第１実施例と同じである。
【実施例３】
【００１７】
図３は第３実施例であって、重石１の上面に看板２，２の頂面２ａを貫通する筒形支柱７を植設したもので、要すれば、のぼり旗８、脚付きの照明灯９などを筒形支柱７の上端開口７ａより挿し立て装着することができるようにした例で、その他の構成と作用は前記実施例と同じである。
【００１８】
付言すると、本考案の看板２は細帯状の頂面２ａが形成されることによって従来の突合わせと違って支骨作用が加わって強化されることとなる。また、従来突合わせによって生じていた端辺の剥がれ突出しもなくなって怪我や引っ掛け転倒が生じなくなり、さらには頂面２ａの両角に丸みがつくことで体裁がよく滑らかに触って怪我等がなくなるものとなる。
なお、重石１と看板２の各寸法は実施例の大きさに限られるものではなく、また下広斜面１ａ，１ａの傾斜角度も看板２の見やすさと安定性を追及する範囲において自由に設定されるものである。
【産業上の利用可能性】
【００１９】
本考案の置き看板は安定して立て置きすることができて且つ極めて見やすいことで広く利用されるものである。
【符号の説明】
【００２０】
１は重石
１ａ，１ａは下広斜面
１ｂ，１ｂは手掛かり溝
２，２は看板
２ａは頂面
３はビス
４は置き看板
５，５はアルミ複合板
６は金属板
７は筒形支柱
７ａは上面開口
８はのぼり旗
９は照明灯
【図１】
0003202034.tif 000003
【図２】
0003202034.tif 000004
【図３】
0003202034.tif 000005
【図４】
0003202034.tif 000006